(57)【要約】      （修正有） 【課題】冷凍装置において、結露防止用の断熱材の使用を極力抑えて、簡易な構造によって連絡配管の結露を抑制する。【解決手段】利用ユニットと熱源ユニットが連絡配管30で接続される冷媒回路において、連絡配管30に第１配管41と、第１配管41の中心を貫通する第２配管42とからなる２重配管部50を設け、第２配管42の内部空間に低圧ガス冷媒を流通させる一方、第１配管41と第２配管42との間の空間に高圧液冷媒を流通させるようにする。【選択図】  図３
2006003026.tif 000002
【特許請求の範囲】
【請求項１】
冷媒回路（2）の利用ユニット（10）及び熱源ユニット（20）が、低圧ガス冷媒用通路（31）及び高圧液冷媒用通路（32）からなる連絡配管（30）で互いに接続されている冷凍装置であって、
上記連絡配管（30）の少なくとも一部には、筒状の第１配管（41）と、該第１配管（41）の内部空間を貫通する筒状の第２配管（42）とで構成された２重配管部（40）が備えられ、
上記第２配管（42）の内部空間に、上記低圧ガス冷媒用通路（31）が形成される一方、上記第２配管（42）と上記第１配管（41）との間の空間に、上記高圧液冷媒用通路（32）が形成されている冷凍装置。
【請求項２】
請求項１に記載の冷凍装置において、
上記第２配管（42）は、上記第１配管（41）の内部空間の中心を貫通している冷凍装置。
【請求項３】
請求項１又は２に記載の冷凍装置において、
上記第１配管（41）の外表面には、断熱材（50）が設けられている冷凍装置。
【請求項４】
請求項３に記載の冷凍装置において、
上記断熱材（50）は、少なくとも２重配管部（40）における低圧ガス冷媒の流入端近傍に設けられている冷凍装置。
【請求項５】
請求項３又は４に記載の冷凍装置において、
上記断熱材（50）は、少なくとも２重配管部（40）における高圧液冷媒の流入端近傍に設けられている冷凍装置。
【発明の詳細な説明】
【技術分野】
【０００１】
本発明は、利用ユニットと熱源ユニットとが連絡配管で接続される冷凍装置に関し、特に、連絡配管の結露防止対策に係るものである。
【背景技術】
【０００２】
従来より、利用ユニットを有する冷媒回路を備え、利用ユニットで冷却した空気やブラインなどの熱媒体を冷却対象へ供給する冷凍装置が知られている。
【０００３】
例えば、特許文献１に開示されている冷凍装置は、圧縮機、及び凝縮器を有する室外ユニットである熱源ユニットと、膨張弁及び蒸発器を有する室内ユニットである利用ユニットとを備えている。そして、上記熱源ユニットと上記利用ユニットとが連絡配管によって互いに接続され、蒸気圧縮式の冷凍サイクルを行う冷媒回路が構成されている。なお、上記連絡配管は、液側配管（高圧液冷媒用通路）とガス側配管（低圧ガス冷媒用通路）とで構成されている。上記液側配管は、熱源ユニットにおいて、上記圧縮機で圧縮された後、上記凝縮器で凝縮した高圧液冷媒が利用ユニットまで流通するものである。一方、上記ガス側配管は、利用ユニットにおいて、上記膨張弁を通過して減圧された後、上記蒸発器で蒸発した低圧ガス冷媒が熱源ユニットまで流通するものである。
【０００４】
以上の構成の冷凍装置において冷媒が冷媒回路内を循環すると、上記蒸発器が空気やブラインなどの熱媒体を冷却する冷却器として機能する。そして、冷凍装置は、冷却器によって冷却された熱媒体を冷却対象へ供給することで、冷却対象を所定の温度に温調（冷却）するようにしている。
【特許文献１】特開２００２−１７４４６３号公報
【発明の開示】
【発明が解決しようとする課題】
【０００５】
ところで、特許文献１に開示されているような冷凍装置は、居住空間の温調のみならず、半導体製造装置やクリーンルームなどの温調に適用される場合も多い。ここで、上述した連絡配管が半導体製造装置やクリーンルームの付近に設けられる場合、連絡配管の外表面において結露が生じてしまうと、漏電や絶縁性の低下など周囲装置に電気的な支障をもたらすことになってしまう。なお、このような連絡配管の結露は、流通する冷媒の温度が比較的低い温度となるガス側配管（低圧ガス冷媒用通路）の外表面において生じやすくなる。
【０００６】
上記連絡配管の結露防止対策としては、連絡配管の外周面に結露防止用の断熱材を施すことが一般的である。しかしながら、空気の清浄度を高く維持する必要があるクリーンルームなどにおいては、塵埃などの飛散要因となり得る断熱材を多く用いることは好ましくない。また、例えば上記熱源ユニットが地下に配置され上記利用ユニットが２階に設置されるような場合には、連絡配管が長くなり、よって断熱材の必要量が増えるとともに断熱材の施工が困難となってしまう。
【０００７】
本発明は、斯かる点に鑑みてなされたものであり、その目的とするところは、結露防止用の断熱材の使用を極力抑えることができ、簡易な構造によって連絡配管の結露を抑制できるようにすることである。
【課題を解決するための手段】
【０００８】
本発明は、連絡配管の少なくとも一部を２重配管構造とし、中心寄りの通路に低圧ガス冷媒を流通させる一方、外周寄りの通路に高圧液冷媒を流通させるようにしたものである。
【０００９】
具体的に、第１の発明は、冷媒回路（2）の利用ユニット（10）及び熱源ユニット（20）が、低圧ガス冷媒用通路（31）及び高圧液冷媒用通路（32）からなる連絡配管（30）で互いに接続されている冷凍装置を前提としている。そして、この冷凍装置は、上記連絡配管（30）の少なくとも一部に、筒状の第１配管（41）と、該第１配管（41）の内部空間を貫通する筒状の第２配管（42）とで構成された２重配管部（40）が備えられ、上記第２配管（42）の内部空間に、上記低圧ガス冷媒用通路（31）が形成される一方、上記第２配管（42）と上記第１配管（41）との間の空間に、上記高圧液冷媒用通路（32）が形成されているものである。
【００１０】
上記第１の発明では、利用ユニット（10）と熱源ユニット（20）とが連絡配管（30）によって接続されることで、冷媒回路（2）が構成され、冷媒回路（2）において蒸気圧縮式の冷凍サイクルが行われる。ここで、熱源ユニット（20）においては、冷媒が圧縮機で圧縮された後、凝縮器で凝縮する。以上のようにして高圧液冷媒に状態変化した冷媒は、連絡配管（30）の高圧液冷媒用通路（32）を流通し、利用ユニット（10）へ移送される。一方、この利用ユニット（10）においては、高圧液冷媒が膨張弁を通過する際に減圧された後、蒸発器で蒸発する。この際、例えばブラインや空気などの熱媒体が蒸発器で冷却されて、冷却対象へ供給される。以上のようにして低圧ガス冷媒に状態変化した冷媒は、連絡配管（30）の低圧ガス冷媒用通路（31）を流通し、再び熱源ユニット（20）へ移送される。
【００１１】
ここで、本発明では、連絡配管（30）の少なくとも一部に２重配管部（40）が設けられる。そして、低圧ガス冷媒が、２重配管部（40）の中心寄りに位置する第２配管（42）内を流通する一方、高圧液冷媒が、２重配管部（40）の外周寄りに位置する第１配管（41）と第２配管（42）との間の空間を流通する。このため、一般的に結露が生じ易い低圧ガス冷媒用通路（31）の外周を高圧液冷媒用通路（32）が覆うことになる。よって、２重配管部（40）を流通する低圧ガス冷媒によって空気が冷やされないので、２重配管部（40）の外周表面において結露が生じてしまうことを抑制することができる。
【００１２】
また、２重配管部（40）において、低圧ガス冷媒と高圧液冷媒とを第２配管（42）を介して熱交換させることができる。このため、一般的には高圧液冷媒より温度の低い低圧ガス冷媒を２重配管部（40）において昇温させることができる。よって、２重配管部（40）が連絡配管（30）の一部のみに設けられている場合に、２重配管部（40）の下流側において、低圧ガス冷媒が流通する連絡配管（30）の結露を効果的に防止することができる。
【００１３】
第２の発明は、第１の発明の冷凍装置において、上記第２配管（42）は、上記第１配管（41）の内部空間の中心を貫通しているものである。
【００１４】
上記第２の発明では、第２配管（42）が第１配管（41）の中心を貫通するように形成されることで、高圧液冷媒用通路（32）の通路幅が第２配管（42）を中心として均等に形成される。このようにすると、低圧ガス冷媒用通路（31）の外周を高圧液冷媒用通路（32）によって均等に覆うことができ、２重配管部（40）において低圧ガス冷媒によって空気が冷やされないので、２重配管部（40）の外表面において結露が生じてしまうことを確実に抑制できる。
【００１５】
第３の発明は、第１又は第２の発明の冷凍装置において、上記第１配管（41）の外表面には、断熱材（50）が設けられているものである。
【００１６】
上記第３の発明では、空気に露出される第１配管（41）の外表面に断熱材（50）が設けられる。よって、第１，第２の発明で上述した結露防止効果に加え、必要最小限の断熱材（50）を使用することで、２重配管部（40）の外表面における結露を一層確実に抑制することができる。
【００１７】
第４の発明は、第３の発明の冷凍装置において、上記断熱材（50）が、少なくとも２重配管部（40）における低圧ガス冷媒の流入端近傍に設けられているものである。
【００１８】
上記第４の発明では、断熱材（50）が第１配管（41）の外表面で、かつ２重配管部（40）における低圧ガス冷媒の流入端近傍に設けられる。ここで、２重配管部（40）における低圧ガス冷媒の流入端近傍では、低圧ガス冷媒の温度が最も低い状態になり易いため、低圧ガス冷媒と熱交換する高圧液冷媒の温度も低くなり易い。一方、本発明では、このようにして結露が生じやすい部位に断熱材が設けられるため、必要最小限の断熱材（50）によって効果的に結露を防止することができる。
【００１９】
第５の発明は、第３又は第４の発明の冷凍装置において、上記断熱材（50）が、少なくとも２重配管部（40）における高圧液冷媒の流入端近傍に設けられているものである。
【００２０】
上記第５の発明では、断熱材（50）が第１配管（41）の外表面で、かつ２重配管部（40）における高圧液冷媒の流入端近傍に設けられる。ここで、２重配管部（40）における高圧液冷媒の流入端近傍では、高圧液冷媒の温度が最も高い状態となり易いため、この部分における第１配管（41）の外表面の温度も高くなり易い。一方、本発明では、このように温度が高くなり易い部位に断熱材（50）が設けられるため、高温となる第１配管（41）の表面が空間に露出されることを防止することができる。
【発明の効果】
【００２１】
上記第１の発明によれば、連絡配管（30）の少なくとも一部に２重配管部（40）を設け、低圧ガス冷媒用通路（31）の外周を高圧液冷媒用通路（32）で覆うようにしている。このため、低圧ガス冷媒によって空気が冷やされので、２重配管部（40）の表面で結露が生じてしまうことを抑制できる。また、２重配管部（40）において、低圧ガス冷媒と高圧液冷媒とを熱交換させることで、低圧ガス冷媒を昇温できる。このため、２重配管部（40）から熱源ユニット（20）までの低圧ガス冷媒の連絡配管（30）において、結露の発生を効果的に防止できる。
【００２２】
さらに、２重配管部（40）においては、低圧ガス冷媒用通路（31）と高圧液冷媒用通路（32）とを一体的に形成することができる。すなわち、コンパクトな配管構造によって低圧ガス冷媒用通路（31）と高圧液冷媒用通路（32）とを形成することができる。
【００２３】
このように、本発明によれば、特に２重配管部（40）の外表面、あるいは低圧ガス冷媒用通路（31）の外表面において結露の発生を抑制できるようにしている。よって、連絡配管（30）における断熱材の使用量を減らす、あるいは断熱材の厚みを薄くすることができる。すなわち、簡易な構造によって連絡配管（30）の結露を抑制できる。
【００２４】
また、本発明によれば、２重配管部（40）において高圧液冷媒と低圧ガス冷媒とを熱交換させることで、上記高圧液冷媒を低圧ガス冷媒によって冷却することができる。よって、利用ユニット（10）の蒸発器を流れる冷媒の温度を低くすることができ、この冷凍装置の冷凍能力の向上を図ることができる。
【００２５】
上記第２の発明によれば、低圧ガス冷媒用通路（31）の外周を高圧液冷媒用通路（32）によって均等に覆うようにしている。このため、２重配管部（40）の外表面において結露が生じてしまうことを一層確実に防止できる。
【００２６】
よって、本発明によれば、断熱材の使用量を第１の発明よりも更に低減させることができ、連絡配管（30）における結露防止用対策の構造を一層簡素化できる。
【００２７】
上記第３の発明によれば、第１配管（41）の外表面に断熱材（50）を施すことで、第１配管（41）の表面における結露を確実に防止できるようにしている。ここで、例えば従来の連絡配管では、液側配管とガス側配管との双方に断熱材を施す必要があったのに対し、本発明では、２重配管部（40）の外周のみに断熱材（50）を施せばよい。すなわち、断熱材（50）の施工作業を容易に行うことができる。
【００２８】
上記第４の発明によれば、断熱材（50）を２重配管部（40）における低圧ガス冷媒の流入端近傍に設けるようにしている。このため、第１配管（41）の外表面のうち最も温度が低くなり易く、結露が発生しやすい部位において、この結露の発生を確実に防止できる。
【００２９】
上記第５の発明によれば、断熱材（50）を２重配管部（40）における高圧液冷媒の流入端近傍に設けるようにしている。このため、第１配管（41）において最も温度が高くなり易い部位が空間に露出されることを防止できる。よって、使用者に対して高温配管が曝されてしまうことを抑止できる。
【発明を実施するための最良の形態】
【００３０】
以下、本発明の実施形態を図面に基づいて詳細に説明する。
【００３１】
《発明の実施形態》
本実施形態の冷凍装置（1）は、冷却したブライン（熱媒体）を冷却対象である半導体製造装置に供給し、この半導体製造装置を一定温度に冷却するための、いわゆるチリングユニットである。
【００３２】
図１に示すように、上記冷凍装置（1）は、利用ユニットである室内ユニット（10）と熱源ユニットである室外ユニット（20）とを有している。そして、上記室内ユニット（10）と上記室外ユニット（20）とが連絡配管（30）で接続されることによって、冷媒回路（2）が構成されている。この冷媒回路（2）は、冷媒が循環して蒸気圧縮式の冷凍サイクルを行う閉回路に構成されている。
【００３３】
上記室外ユニット（20）は、圧縮機（21）、及び凝縮器（22）を備えている。上記凝縮器（22）は、詳細は図示しない冷却水用通路を流れる冷却水と、冷媒回路（2）の冷媒とを熱交換させることによってこの冷媒を凝縮させるように構成されている。また、凝縮器（22）の下流側には、圧縮機（21）の吸入側と接続する液インジェクション配管（23）が設けられている。この液インジェクション配管（23）には、制御弁（24）が備えられている。そして、制御弁（24）は、図示しないコントローラによって開度が調整されることで、液インジェクション配管（23）を介して圧縮機（21）の吸入側へ環流される液冷媒量が調節可能となっている。
【００３４】
一方、上記室内ユニット（10）は、膨張弁（11）、及び蒸発器（12）を備えている。上記膨張弁（11）は、図示しないコントローラによって開度を調整可能に構成されている。また、上記蒸発器（12）は、いわゆるプレート式熱交換器で構成されている。そして、蒸発器（12）は、循環経路（13）を流れるブラインと、冷媒回路（2）の冷媒とを熱交換させることで、ブラインを冷却する一方、冷媒を蒸発させるように構成されている。なお、蒸発器（12）で冷却されたブラインは、所定の循環経路（13）を流通して冷却対象へ供給される。
【００３５】
上記連絡配管（30）は、上記室内ユニット（10）の低圧ガス冷媒が上記室外ユニット（20）へ流通する低圧ガス冷媒用通路（31）と、上記室外ユニット（20）の高圧液冷媒が上記室内ユニット（10）へ流通する高圧液冷媒用通路（32）とで構成されている。さらに、この連絡配管（30）には、上記低圧ガス冷媒用通路（31）の一部と高圧液冷媒用通路（32）の一部とが形成される２重配管部（40）を備えている。なお、この２重配管部（40）は、連絡配管（30）において室内ユニット（10）寄りに設けられているのが好ましい。また、本実施形態では、低圧ガス冷媒が２重配管部（40）に流入するまで連絡配管（30）に、図示しない断熱材が施されている。
【００３６】
図２に示すように、２重配管部（40）は、第１配管（41）と第２配管（42）とで構成されている。第１配管（41）は略円筒状に形成されており、第２配管（42）よりも、その配管口径が大きくなっている。また、第２配管（42）は、略円筒状に形成されており、上記第１配管（41）の内部空間の中心を貫通している。したがって、第１配管（41）と第２配管（42）との間の空間は、その径方向に切断した断面が円環状に形成されている。
【００３７】
上記第２配管（42）は、２重配管部（40）の上流側及び下流側において低圧ガス冷媒用通路（31）が形成される連絡配管（30）と接続されている。すなわち、第２配管（42）の内部空間には、低圧ガス冷媒用通路（31）の一部が形成される。一方、第１配管（41）と第２配管（42）との間の空間は、２重配管部（40）の上流側及び下流側において高圧液冷媒用通路（32）が形成される連絡配管（30）と接続されている。すなわち、第１配管（41）と第２配管（42）との間の空間には、高圧液冷媒用通路（32）の一部が形成される。
【００３８】
以上のような構成により、２重配管部（40）において、低圧ガス冷媒用通路（31）が２重配管部（40）の中心に形成される一方、高圧液冷媒用通路（32）は、低圧ガス冷媒用通路（31）の外周側に形成されている。そして、２重配管部（40）は、高圧液冷媒と低圧ガス冷媒とを第２配管（42）を介して熱交換させるように構成されている。なお、本実施形態において、２重配管部（40）内では、低圧ガス冷媒と高圧液冷媒との流れ方向が互いに対向しており、２重配管部（40）がいわゆる対向流式の熱交換器として機能している。
【００３９】
−運転動作−
次に、上述した冷凍装置（1）の運転動作について説明する。
【００４０】
図１に示すように、冷凍装置（1）の運転時には、圧縮機（21）が起動することで冷媒回路（2）内を冷媒が循環し、蒸気圧縮式の冷凍サイクルが行われる。また、図示しないコントローラによって、膨張弁（11）及び制御弁（24）の開度が所定開度に調整される。
【００４１】
室外ユニット（20）では、圧縮機（21）で圧縮されて高圧ガスとなった冷媒が、凝縮器（22）を流通する。この冷媒は、凝縮器（22）を介して冷却用水通路を流れる冷却水によって冷却され凝縮する。室外ユニット（20）を流出した高圧液冷媒は、連絡配管（30）の高圧液冷媒用通路（32）を流通する。
【００４２】
一方、室内ユニット（10）では、膨張弁（11）を通過して減圧された液冷媒が、蒸発器（12）を流通する。この冷媒は、蒸発器（12）を介して循環経路（13）を流れるブラインによって加温され蒸発する。一方、ブラインは、蒸発器（12）で所定の温度に冷却される。そして、冷却されたブラインが冷却対象に供給されることで、この冷却対象が所定温度に冷却（温調）される。また、室内ユニット（10）を流出した低圧ガス冷媒は、連絡配管（30）の低圧ガス冷媒用通路（31）を流通する。
【００４３】
図２に示すように、連絡配管（30）を流通する冷媒のうち低圧ガス冷媒は、２重配管部（40）における第２配管（42）の内部空間を流通する。一方、連絡配管（30）を流通する冷媒のうち高圧液冷媒は、２重配管部（40）における第１配管（41）と第２配管（42）との間の空間を上記低圧ガス冷媒の流れに対向して流通する。ここで、低圧ガス冷媒と高圧液冷媒とが熱交換することで、低圧ガス冷媒が加温される一方、高圧液冷媒が冷却される。よって、２重配管部（40）を通過した後の冷媒のうち、低圧ガス冷媒は、所定温度に加温された状態で残りの連絡配管（30）を流通し、室外ユニット（20）に移送される。一方、２重配管部（40）を通過した後の冷媒のうち、高圧液冷媒は、所定温度に冷却された状態で残りの連絡配管（30）を流通し、室内ユニット（10）に移送される。
【００４４】
−実施形態の効果−
以上のように、本実施形態によれば、連絡配管（30）の一部に２重配管部（40）を設け、該２重配管部（40）において、低圧ガス冷媒用通路（31）の外周を高圧液冷媒用通路（32）で覆うようにしている。このため、低圧ガス冷媒によって２重配管部（40）の外表面の空気が冷やされないので、２重配管部（40）の表面で結露が生じてしまうことを抑制できる。
【００４５】
また、２重配管部（40）において低圧ガス冷媒と高圧液冷媒とを熱交換させることで、低圧ガス冷媒の温度を昇温できる。このため、低圧ガス冷媒用通路（31）において２重配管部（40）から室外ユニット（20）に至るまでの連絡配管（30）において、その外表面の結露を効果的に抑制できる。
【００４６】
さらに、本実施形態では、低圧ガス冷媒用通路（31）の一部と高圧液冷媒用通路（32）の一部とを２重配管部（40）において一体的に形成することができる。したがって、連絡配管（30）をコンパクトに構成することができる。
【００４７】
以上のように、本実施形態によれば、２重配管部（40）を設けることで連絡配管（30）における結露の発生を効果的に抑制できるようにしている。したがって、断熱材の使用量、あるいは断熱材の厚みを極力減らすことができる。すなわち、簡易な構造によって連絡配管（30）の結露を抑制することができる。
【００４８】
さらに、本実施形態によれば、２重配管部（40）において高圧液冷媒を冷却することができる。よって、室内ユニット（10）の蒸発器（12）を流通する冷媒の温度を低下させることができ、この蒸発器（12）の冷凍能力の向上を図ることができる。
【００４９】
−実施形態の変形例−
次に、上記実施形態の変形例について、図３を参照しながら説明する。この変形例の冷凍装置（1）は、上記実施形態と２重配管部（40）の構成が異なるものである。
【００５０】
具体的にこの変形例では、２重配管部（40）の第１配管（41）の外表面に断熱材（50）が設けられている。この断熱材（50）は、２重配管部（40）の一端部（図３の右端部）に設けられた第１断熱材（50a）と、他端部（図３の左端部）に設けられた第２断熱材（50b）とで構成されている。
【００５１】
上記第１断熱材（50a）は、２重配管部（40）における低圧ガス冷媒の流入端近傍に設けられており、言い換えると２重配管部（40）における高圧液冷媒の流出端近傍に設けられている。一方、上記第２断熱材（50b）は、２重配管部（40）における高圧液冷媒の流入端近傍に設けられており、言い換えると２重配管部（40）における低圧ガス冷媒の流出端近傍に設けられている。
【００５２】
この変形例によれば、上記第１断熱材（50a）が、第１配管（41）の外表面のうち、低圧ガス冷媒の温度が最も低くなり易く、特に結露が生じやすい部位に施されているため、２重配管部（40）の表面における結露を効果的に抑制することができる。
【００５３】
また、上記第２断熱材（50b）は、第１配管（41）の外表面のうち最も温度が高くなり易い部位に施されているため、高温となる配管表面が、空間に露出されてしまうことを効果的に抑制することができる。
【００５４】
なお、このようにして２重配管部（40）の外表面に断熱材を施す場合には、例えば従来の連絡配管のようにガス側配管と液側配管とで個別に断熱材を施す必要がない。すなわち、容易な作業によって２重配管部（40）の外表面に断熱材を設けることができる。
【００５５】
《その他の実施形態》
本発明は、上記実施形態について、以下のような構成としてもよい。
【００５６】
上記実施形態では、連絡配管（30）の一部に２重配管部（40）を設けている。しかしながら、この２重配管部（40）を連絡配管（30）の全域に亘って構成するようにしてもよい。この場合には、連絡配管（30）の全域に亘って、上述した結露発生抑制効果を得ることができる。よって、断熱材の使用量を極力低減させることができる。
【００５７】
また、上記実施形態では、２重配管部（40）以外の連絡配管（30）のうち、低圧ガス冷媒用通路（31）における２重配管部（40）の上流側のみに図示しない断熱材を設けている。しかしながら、必要に応じて連絡配管（30）の如何なる場所に断熱材を設けてもよい。この場合にも、２重配管部（40）による結露発生抑制効果により、例えば従来の連絡配管と比較して断熱材の使用量、あるいは断熱材の厚みを減らすことができる。
【００５８】
また、上記実施形態では、第２配管（42）を第１配管（41）の中心に貫通させているが、この第２配管（42）を第１配管（41）の中心から偏心して貫通させてもよい。
【００５９】
さらに、上記実施形態では、２重配管部（40）において、低圧ガス冷媒の流れと高圧液冷媒の流れとを対向させて、いわゆる対向流式の熱交換を行っているが、低圧ガス冷媒の流れと高圧液冷媒との流れを並行させて、いわゆる並行流式の熱交換を行ってもよい。
【産業上の利用可能性】
【００６０】
以上説明したように、本発明は、特に利用ユニットと熱源ユニットとが連絡配管で接続される冷凍装置として有用である。
【図面の簡単な説明】
【００６１】
【図１】実施形態に係る冷凍装置の全体を示す概略構成図である。
【図２】連絡配管の拡大斜視図である。
【図３】変形例に係る冷凍装置の連絡配管の拡大斜視図である。
【符号の説明】
【００６２】
(1)        冷凍装置
(2)        冷媒回路
(10)       利用ユニット（室内ユニット）
(20)       熱源ユニット（室外ユニット）
(30)       連絡配管
(31)       低圧ガス冷媒用通路
(32)       高圧液冷媒用通路
(40)       ２重配管部
(41)       第１配管
(42)       第２配管
(50)       断熱材（50a,50b）
【図１】
2006003026.tif 000003
【図２】
2006003026.tif 000004
【図３】
2006003026.tif 000005